(57)【要約】【課題】操作部材に操作を戻す方向の操作力がかけられることにより操作部材の取り付けられている構造体が作動操作される構成において、構造体の作動操作性を向上させる。【解決手段】操作レバー５（操作部材）にこれを倒し込んだ位置から操作を戻す方向の操作力をかけることにより、操作レバー５の取り付けられているシート本体１（構造体）が車体天井Ｃ下の格納位置まで格納操作される操作構造である。操作レバー５の操作構造には、操作レバー５の戻し操作を阻止可能な戻し阻止機構が設けられている。シート本体１の格納操作は、戻し阻止機構によって倒し込まれた操作位置に保持された操作レバー５に操作を戻す方向の操作力をかけることで行われる。戻し阻止機構は操作レバー５を操作した位置で引き込む方向に操作することにより操作レバー５の戻し操作を阻止するようになっている。【選択図】図１
2010006170.tif 000002
【特許請求の範囲】
【請求項１】
操作部材に操作を戻す方向の操作力がかけられることにより該操作部材の取り付けられている構造体が作動操作される車両用シートの作動操作構造であって、
前記操作部材の操作構造には該操作部材の戻し操作を阻止することのできる戻し阻止機構が設けられており、前記構造体の作動操作は前記戻し阻止機構によって操作位置に保持された操作部材に戻し方向の操作力がかけられることで行われるようになっており、該戻し阻止機構は前記操作部材を操作位置から戻し方向とは異なる特定の方向に操作することにより該操作部材の戻し操作を阻止する構造となっていることを特徴とする車両用シートの作動操作構造。
【請求項２】
請求項１に記載の車両用シートの作動操作構造であって、
前記操作部材の操作は車両用シートのシートバックの背面部から後方側に倒し込まれる回転操作として行われ、この回転操作によりシート本体のフロアとの係合状態が外されて、該操作部材に戻し方向の操作力がかけられることにより前記シート本体がその車体天井とリンク連結された連結構造によって該車体天井下の格納位置まで前方上方に起こし上げられて保持されるようになっており、該シート本体が格納位置に保持された状態で前記操作部材に車両後方側から下方側に引き込むように操作力がかけられることにより該操作部材が倒し込み回転操作されて前記シート本体の格納位置での保持状態が解除されて、該シート本体が同操作力によってフロア上の使用位置まで後方下方に戻し込まれるようになっており、前記戻し阻止機構は前記操作部材を倒し込み回転操作した操作位置から車両後方側に引き込み操作することによって該操作部材の戻し操作を阻止した状態となることを特徴とする車両用シートの作動操作構造。
【請求項３】
請求項１又は請求項２に記載の車両用シートの作動操作構造であって、
前記戻し阻止機構の構成は、前記操作部材を前記構造体に対して回転可能に連結する連結軸がキー形状に突出して形成されており、前記操作部材を回転操作した操作位置で回転中心から引き離す方向に操作することにより前記キー形状の連結軸が前記操作部材或いは前記構造体との連結部に形成されたキー溝内に引き込まれて嵌合し前記操作部材の戻し方向の回転操作を阻止する構成となっていることを特徴とする車両用シートの作動操作構造。
【発明の詳細な説明】
【技術分野】
【０００１】
本発明は、車両用シートの作動操作構造に関する。詳しくは、操作部材に操作を戻す方向の操作力がかけられることにより、この操作部材の取り付けられている構造体が作動操作される車両用シートの作動操作構造に関する。
【背景技術】
【０００２】
従来、車両用シートにおいて、操作レバーの操作によってシート本体を前後方向にスライドさせるなどの作動操作を行えるようになっている構造が知られている。ここで、下記特許文献１には、操作レバーの操作によって、シート本体のスライドロック状態を解除してシート本体をスライド可能な状態にすることができる構造が開示されている。この開示では、操作レバーがシートバックの肩口に設けられており、これを前倒しする操作によってシート本体のスライドロック状態が解除されるようになっている。そして、上述した前倒し操作された操作レバーにそのまま前方側への操作力をかけることにより、その操作力をかけた前方側にシート本体をスライド操作することができる。
【０００３】
【特許文献１】特開２００５−２２５５０号公報
【発明の開示】
【発明が解決しようとする課題】
【０００４】
しかし、上記開示の従来技術では、シート本体を後方側にスライド操作する際には、操作レバーが戻し方向に操作されないようにこれを前倒しした位置に保持しながら操作を行わなければならず、シート本体のスライド操作性が悪くなってしまうことがある。
【０００５】
本発明は、上記した問題を解決するものとして創案されたものであって、本発明が解決しようとする課題は、操作部材に操作を戻す方向の操作力がかけられることにより操作部材の取り付けられている構造体が作動操作される構成において、構造体の作動操作性を向上させることにある。
【課題を解決するための手段】
【０００６】
上記課題を解決するために、本発明の車両用シートの作動操作構造は次の手段をとる。先ず、第１の発明は、操作部材に操作を戻す方向の操作力がかけられることにより操作部材の取り付けられている構造体が作動操作される車両用シートの作動操作構造である。操作部材の操作構造には、操作部材の戻し操作を阻止することのできる戻し阻止機構が設けられている。構造体の作動操作は、戻し阻止機構によって操作位置に保持された操作部材に戻し方向の操作力がかけられることで行われるようになっている。戻し阻止機構は、操作部材を操作位置から戻し方向とは異なる特定の方向に操作することにより、操作部材の戻し操作を阻止する構造となっている。
【０００７】
この第１の発明によれば、操作部材の取り付けられている構造体は、操作部材に操作位置から戻される方向の操作力がかけられることで作動操作される。このとき、操作部材にかけられる戻し方向の操作力は、操作部材が戻し阻止機構によって戻し操作が阻止された状態で行われる。この戻し阻止機構は、操作部材を操作位置から戻す方向とは異なる特定の方向に操作することによって操作部材の戻し操作を阻止する。したがって、操作部材をばたつかせることなく操作部材に戻し方向の操作力をかけることができるため、構造体の作動操作性を向上させることができる。また、操作部材の操作によってその戻し操作を阻止した状態とすることができるため、別途の戻し阻止操作用の操作部材が設定される構成と比べると、構造体の作動操作性を向上させることができる。
【０００８】
次に、第２の発明は、上述した第１の発明において、操作部材の操作は、車両用シートのシートバックの背面部から後方側に倒し込まれる回転操作として行われる。そして、この回転操作により、シート本体のフロアとの係合状態が外される。そして、操作部材に戻し方向の操作力がかけられることにより、シート本体がその車体天井とリンク連結された連結構造によって、車体天井下の格納位置まで前方上方に起こし上げられて保持される。シート本体が格納位置に保持された状態で、操作部材に車両後方側から下方側に引き込むように操作力がかけられることにより、操作部材が倒し込み回転操作されて、シート本体の格納位置での保持状態が解除され、シート本体が同操作力によってフロア上の使用位置まで後方下方に戻し込まれる。戻し阻止機構は、操作部材を倒し込み回転操作した操作位置から車両後方側に引き込み操作することによって、操作部材の戻し操作を阻止した状態となる。
【０００９】
この第２の発明によれば、シート本体が車体天井下の格納位置に保持された状態で、操作部材を車両後方側から下方側に引き込むように操作することにより、操作部材が回転操作されてシート本体の格納位置での保持状態が解除される。これにより、操作部材は、車体天井下にあるシートバックの背面部から下方側に引き出された状態となり、操作者が車両後方側の位置から操作を行い易い位置に配置された状態となる。そして、この操作位置に引き出された操作部材を車両後方側から引き込む方向に操作することにより、戻し阻止機構によって操作部材の戻し方向の操作が阻止された状態となる。このように、シート本体を車体天井下の格納位置からフロア上の使用位置に戻し込む操作時に、操作部材をシート本体を戻し込む方向に引くことでその戻し操作を阻止した状態にすることができ、構造体の作動操作性を更に向上させることができる。
【００１０】
次に、第３の発明は、上述した第１又は第２の発明において、戻し阻止機構の構成は、操作部材を構造体に対して回転可能に連結する連結軸がキー形状に突出して形成されており、操作部材を回転操作した操作位置で回転中心から引き離す方向に操作することにより、キー形状の連結軸が操作部材或いは構造体との連結部に形成されたキー溝内に引き込まれて嵌合し操作部材の戻し方向の回転操作を阻止する構成となっている。
【００１１】
この第３の発明によれば、キー形状の連結軸をキー溝内に嵌合させて戻し操作を阻止する構成として、戻し阻止機構を比較的簡素な構成で具現化することができる。
【発明を実施するための最良の形態】
【００１２】
以下に、本発明を実施するための最良の形態の実施例について図面を用いて説明する。
【実施例１】
【００１３】
始めに、実施例１の車両用シートの作動操作構造について、図１〜図１０を用いて説明する。ここで、図１には、本実施例の車両用シートの概略構成が示されている。この車両用シートは、車両の後部側座席として配設されており、着座部となるシート本体１をフロアＦ上の使用位置から車体天井Ｃ下の格納位置まで持ち上げて格納できるように構成されている。
【００１４】
このシート本体１は、背凭れとなるシートバック２と、着座部となるシートクッション３と、頭受けとなるヘッドレスト４と、を有する。ここで、シートクッション３は、その後端部が、シートバック２に対して起倒回転可能にヒンジ連結されている。そして、シートクッション３は、常時はこのヒンジ連結部に設けられた図示しない附勢ばねの附勢力によって、シートバック２の前面部に向けて起こし上げられる回転方向に附勢されている。
【００１５】
しかし、上記したシートクッション３は、常時はその底面部に設けられたクッションロック装置９がフロアＦ上のストライカＳ１に係合ロックされることにより、フロアＦ上に倒し込まれた姿勢に保持されている。一方、シートバック２は、常時はその背面部に設けられたフロアロック装置７がフロアＦと一体的に設けられたストライカＳ２に係合ロックされることにより、フロアＦに対して起立した姿勢に保持されている。
【００１６】
これにより、シート本体１は、常時はシートバック２やシートクッション３がフロアＦに係合ロックされた状態として、着座使用可能な姿勢状態に保持されている。なお、シートバック２の下端部には、シート本体１を格納移動させた際に、車体天井Ｃ下に設けられたストライカＳ３と係合ロックすることのできる天井ロック装置８が設けられている。これら各ロック装置７〜９（フロアロック装置７、天井ロック装置８及びクッションロック装置９）は、シートバック２やシートクッション３の左右両サイドに設けられて左右一対で構成されている。
【００１７】
そして、各ロック装置７〜９は、シートバック２の背面部に設けられた板状の操作レバー５を後方側に倒し込む操作を行うことにより、それらのロック状態が一斉に解除操作される。これにより、シートクッション３が附勢によってシートバック２の前面部位置まで起こし上げられると共に、シートバック２がフロアＦとの係合ロック状態から外されて、シート本体１が格納移動可能な状態となる。ここで、操作レバー５が本発明の操作部材に相当し、シート本体１が本発明の操作部材の取り付けられている構造体に相当する。
【００１８】
ここで、シート本体１は、シートバック２の両肩口に一体的に連結された連結アーム６によって、車体天井Ｃに対して回転可能にリンク連結されている。これにより、シート本体１は、上述したフロアＦとの係合ロック状態が解除されることによって、連結アーム６と車体天井Ｃとのヒンジ連結部を中心に、フロアＦ上の使用位置から車体天井Ｃ下の格納位置まで起こし上げられるようになっている。
【００１９】
なお、図示は省略されているが、上述した連結アーム６と車体天井Ｃとの間には、シート本体１を格納移動させる方向に附勢する附勢ばねが設けられている。更に、連結アーム６と車体側部との間には、シート本体１の回転運動に弾みが付き過ぎないように回転速度を抑制するダンパー６ｄが設けられている。これにより、シート本体１を上述した使用位置と格納位置との間で回転させる移動操作が、上述した附勢ばねやダンパー６ｄの作用によってアシストされるようになっている。
【００２０】
ところで、上述した操作レバー５は、その下端部が連結軸２ｐによってシートバック２の背面部に回転可能にヒンジ連結されており、常時はシートバック２との間に掛着された図示しない附勢ばねの附勢力によって、起こし上げられる回転方向に附勢されている。これにより、操作レバー５は、常時はシートバック２の背面側の凹部内に収容された状態に保持されている。
【００２１】
ここで、図４に示されるように、操作レバー５の上端側近傍の面部には、開口部が形成されており、この開口部の形成によって、操作レバー５の上端部には、操作者Ｐが手を掛けて把持することのできる把持部５ａが形成されている。これにより、図１に示されるように、操作者Ｐが車両の後方側に立った位置から操作レバー５の把持部５ａに手を掛けて、操作レバー５を後方側に引き込んで倒し込む操作を容易に行えるようになっている。この操作レバー５を倒し込む回転操作は、図示は省略されているが、操作レバー５の下端部に形成された係止部がシートバック２の骨格部に当接する位置で止められるようになっている。
【００２２】
そして、本実施例では、操作レバー５が上述した操作位置まで倒し込まれることにより、そこから操作レバー５を手前側に引くように操作することで、操作レバー５の戻し方向の回転操作を阻止できるようになっている。これにより、操作レバー５は、その正逆双方向の回転操作が阻止された状態となって保持される。したがって、この倒し込み操作された操作レバー５に、今度はその操作を戻す方向（起こし上げる方向）の操作力をかけることにより、シート本体１が同方向に押し動かされて車体天井Ｃ下の格納位置まで起こし上げられる。
【００２３】
次に、上述した操作レバー５の回転操作を戻す方向の動きを阻止する戻し阻止機構の構成について説明する。すなわち、図４に示されるように、シートバック２の縦方向に延びる骨格をなすバックフレーム２ｆには、“コ”符号状に折り曲げられた板状のブラケット２ｂが一体的に接合されて固定されている。そして、このブラケット２ｂの“コ”符号状に折り曲げられた両板部には、操作レバー５を回転可能に軸支するための連結軸２ｐが挿通されて取り付けられている。
【００２４】
これら連結軸２ｐは、ブラケット２ｂの両板部に一体的に固定されており、操作レバー５を回転可能に軸支する部位が板状となるキー形状に形成されている。そして、これら連結軸２ｐの板形状部の両サイド面は、操作レバー５の下端側両サイド部に形成された孔５ｈの内周面形状に即した円弧面形状に形成されている。したがって、図２に示されるように、操作レバー５は、各孔５ｈ内に各連結軸２ｐが挿通されて組み付けられることにより、各連結軸２ｐの湾曲した両サイド面によって滑らかに回転可能に支持されるようになっている。
【００２５】
ここで、上述した各孔５ｈには、その内周面の形状の一部に、凹状に窪んだキー溝５ｊが形成されている。これらキー溝５ｊは、上述した各連結軸２ｐの板形状部の板厚よりも若干大きい溝幅を有して形成されており、図３に示されるように、各連結軸２ｐの板形状部と向きが一致することによって各連結軸２ｐの板形状部を溝内部に受け入れられるようになっている。ここで、各キー溝５ｊは、操作レバー５の下方側に向けて凹むように配置形成されており、操作レバー５が係止する位置まで倒し込まれることによって、各連結軸２ｐの板形状部を半径方向に受け入れ可能な位置へと移動するようになっている。
【００２６】
したがって、操作レバー５を倒し込んだ後、操作レバー５をその倒し込んだ位置で回転中心（連結軸２ｐ）から引き離す方向に操作することにより、連結軸２ｐの板形状部がキー溝５ｊ内に引き込まれて嵌合する。これにより、操作レバー５は、連結軸２ｐを中心とした双方向の回転が阻止された状態となる。なお、操作レバー５の回転止め状態は、操作レバー５を回転中心に向けて押し込むように操作することによって解除されるようになっている。
【００２７】
ところで、図１に戻って、前述した各ロック装置７〜９は、各ストライカＳ１〜Ｓ３との係合ロックから外された状態時には、シート本体１がフロアＦや車体天井Ｃに押し付けられる動きによって、各ストライカＳ１〜Ｓ３とそれぞれ係合ロックすることのできるロック可能状態となっている。そして、各ロック装置７〜９は、上述した操作レバー５をシートバック２の後方側に倒し込む解除操作を行うことによって、各ストライカＳ１〜Ｓ３に対する係合ロック状態が一斉に解除操作されるようになっている。
【００２８】
ここで、各ロック装置７〜９のうち、フロアロック装置７及び天井ロック装置８は、操作レバー５によるロック解除の操作が、シートバック２内に設けられた切換機構２０を介して行われるようになっている。この切換機構２０は、図５に示されるように、操作レバー５に繋がれて牽引操作される操作ケーブル５ｃと、フロアロック装置７に繋がれた解除ケーブル７ｃ及び天井ロック装置８に繋がれた解除ケーブル８ｃと、をそれぞれ操作力伝達可能に連結したり伝達不能に遮断したりすることのできる構成となっている。
【００２９】
具体的には、切換機構２０は、シートバック２の骨格に固定設置されたベース板２１と、このベース板２１に軸支連結された第１アーム２２及び第２アーム２３と、によって構成されている。ここで、第１アーム２２は、支軸２２ａによってベース板２１に回転可能に軸支連結されている。そして、第１アーム２２は、常時は図示しない附勢ばねの附勢力を受けて、図示反時計回りに回転附勢された状態として、ベース板２１から切り起こされたストッパ２１ａと当接する初期位置の姿勢状態に保持されている。そして、この第１アーム２２の図示左側の腕部には、操作ケーブル５ｃの下端部が連結されている。
【００３０】
一方、第２アーム２３は、支軸２３ａによってベース板２１に回転可能に軸支連結されている。そして、第２アーム２３は、常時は図示しない附勢ばねの附勢力を受けて、同図に示された初期位置の姿勢状態に保持されている。そして、この第２アーム２３の図示下側の腕部には、前述した各解除ケーブル７ｃ，８ｃの右側端部が連結されている。そして、この第２アーム２３には、第１アーム２２の回転軌跡内に張り出す位置に係合ピン２３ｂが設けられている。
【００３１】
上記構成の切換機構２０は、操作レバー５が解除操作される前の常時は、各解除ケーブル７ｃ，８ｃを図示された初期位置の状態に保持している。そして、操作レバー５が解除操作されて操作ケーブル５ｃが図示上方側に牽引操作されることにより、第１アーム２２が時計回りに回転操作される。これにより、図６の仮想線状態で示されるように、第１アーム２２が第２アーム２３の係合ピン２３ｂと当接し、これを押し回すことで、第２アーム２３が反時計回りに回転操作されて両解除ケーブル７ｃ，８ｃが一斉に牽引操作される。
【００３２】
しかし、この後、操作レバー５の解除操作の進行によって操作ケーブル５ｃが更に牽引操作されると、同図の実線で示されるように、第１アーム２２が係合ピン２３ｂとの当接状態から外される。これにより、第２アーム２３が前述した附勢ばね（図示省略）の附勢力によって時計回りに初期位置まで戻されて、両解除ケーブル７ｃ，８ｃの牽引操作状態が解除される。
【００３３】
すなわち、切換機構２０は、操作レバー５の解除操作の進行に伴って、一旦牽引操作した両解除ケーブル７ｃ，８ｃの牽引操作状態が解除される構成となっている。これにより、操作レバー５に繋がれた操作ケーブル５ｃと各解除ケーブル７ｃ，８ｃとが、操作レバー５の解除操作の進行に伴って、互いに操作力伝達可能に連結されたり伝達不能に遮断されたりするようになっている。
【００３４】
なお、切換機構２０は、操作レバー５の解除操作をやめることにより、第１アーム２２が附勢ばね（図示省略）の附勢力によって初期位置に戻されることで初期状態に戻される。このとき、第１アーム２２が初期位置に戻される途中で、第１アーム２２が係合ピン２３ｂと当接した状態となるが、この当接状態は、第２アーム２３が図示時計回りに押動されて回避回転することによって外されるようになっている。
【００３５】
次に、前述した各ロック装置７〜９の構成について図７〜図８を用いて説明する。なお、各ロック装置７〜９は、実質的には互いに同じロック構造１０を備えているため、以下ではこれらのロック構造１０についてまとめて説明することとする。
【００３６】
すなわち、図７に示されるように、各ロック装置７〜９は、シートバック２或いはシートクッション３の骨格部に固定設置されたベース板１１と、このベース板１１に対して回転可能に軸支連結されたラッチ１２及びポール１３と、このラッチ１２とポール１３との間に掛着された引張ばね１４と、解除ケーブル１５（解除ケーブル７ｃ，８ｃ，９ｃ）と、によって構成されている。これらロック装置７〜９は、ストライカ１６（ストライカＳ１〜Ｓ３）がベース板１１に形成された受入口１１ａの内部に押し込まれることによって、このストライカ１６にラッチ１２を係合ロックさせる構成となっている。
【００３７】
詳しくは、ラッチ１２は、支軸１２ｅによってベース板１１に回転可能に軸支連結されている。そして、ラッチ１２は、常時はその掛部１２ｃとポール１３の掛部１３ｃとの間に掛着された引張ばね１４の附勢力を受けて、図示反時計回りに回転附勢された状態として、ベース板１１に形成されたストッパ１１ｂと当接した初期位置の姿勢状態に保持されている。
【００３８】
このラッチ１２には、その初期位置の姿勢状態時に、ベース板１１に形成された受入口１１ａの口内に張り出す上顎１２ａと、ラッチ１２が初期位置から時計回りに回転した際に、受入口１１ａを塞ぐように移動する下顎１２ｂと、が形成されている。そして更に、ラッチ１２には、これが初期位置から時計回りに回転した際に、ポール１３に形成された爪部１３ｂと係止し合う角部１２ｄが形成されている。
【００３９】
一方、ポール１３は、支軸１３ｅによってベース板１１に回転可能に軸支連結されている。そして、ポール１３は、常時は前述したラッチ１２との間に掛着された引張ばね１４の附勢力を受けて、図示時計回りに回転附勢された状態として、ラッチ１２の角部１２ｄに押し当てられた初期位置の姿勢状態に保持されている。このポール１３には、解除ケーブル１５の右側端部と連結されて作動操作される操作腕１３ａと、ラッチ１２が初期位置から時計回りに回転した際に、その角部１２ｄと係止し合う爪部１３ｂと、が形成されている。
【００４０】
上記構成の各ロック装置７〜９は、ストライカ１６（ストライカＳ１〜Ｓ３）がベース板１１の受入口１１ａの内部に押し込まれる動きによって、この口内に上顎１２ａを露出させているラッチ１２が時計回りに押し動かされる。これにより、図８に示されるように、ラッチ１２が、引張ばね１４の附勢力によって、その角部１２ｄにポール１３の爪部１３ｂが引き寄せられて互いに係止し合った状態となってその回転がロックされる。
【００４１】
そして、この時計回りの回転に伴って、下顎１２ｂがストライカ１６の背後に回り込むかたちで移動して、受入口１１ａを塞ぎ込む。これにより、ストライカ１６が受入口１１ａの内部において、ラッチ１２によって係合ロックされた状態として保持される。すなわち、上記構成のロック構造１０は、解除ケーブル１５の牽引操作が行われる前の状態では、これをストライカ１６に押し込む操作によって互いに係合ロックすることのできるロック可能状態となっている。
【００４２】
そして、このストライカ１６の係合ロック状態は、解除ケーブル１５（解除ケーブル７ｃ，８ｃ，９ｃ）を牽引操作することによって解除することができる。具体的には、図７に示されるように、解除ケーブル１５を牽引操作することにより、操作腕１３ａが操作されてポール１３が反時計回りに回転操作される。これにより、ポール１３の爪部１３ｂとラッチ１２の角部１２ｄとの係止状態が外れて、ラッチ１２が引張ばね１４の附勢力によって反時計回りに回転する。
【００４３】
これにより、ストライカ１６がラッチ１２の上顎１２ａによって押し出される格好で受入口１１ａから吐き出され、両者の係合ロック状態が解除される。そして、解除ケーブル１５の牽引操作が解除されることにより、ポール１３が再びラッチ１２の角部１２ｄに押し当てられた状態となり、各ロック装置７〜９は再びストライカ１６と係合ロックすることのできるロック可能状態に戻される。
【００４４】
しかし、各ロック装置７〜９は、解除ケーブル１５の牽引操作が継続された状態では、ストライカ１６が受入口１１ａの内部に押し込まれてラッチ１２が時計回りに回転しても、ポール１３の動きが留められているためにこのポール１３との係止は行われない。したがって、この状態では、ロック構造１０は、これをストライカ１６に押し込む操作を行っても互いに係合ロックすることのないロック不能状態とされている。
【００４５】
ここで、図５において前述したように、フロアロック装置７の解除ケーブル７ｃと天井ロック装置８の解除ケーブル８ｃは、操作レバー５の解除操作を行うことにより、一旦牽引操作された後、切換機構２０によってその解除操作状態が解かれる。したがって、フロアロック装置７及び天井ロック装置８は、操作レバー５の解除操作状態を継続した状態であっても、ロック状態が解除操作された後に再びロック可能状態に戻される。
【００４６】
なお、図１において前述したクッションロック装置９の解除ケーブル９ｃ（図７参照）は、図示は省略されているが、操作レバー５或いは操作ケーブル５ｃと直結されている。これにより、クッションロック装置９は、操作レバー５の解除操作状態が解かれることによって、ロック可能状態に戻されるようになっている。
【００４７】
したがって、シート本体１を格納操作する場合には、図２〜図３において前述したように、操作レバー５を倒し込み、更に操作レバー５を手前に引き込むように操作してその回転止めを行ったら、次に操作レバー５を操作を戻す方向（前方）に押して、シート本体１を車体天井Ｃ下に押し付けるように操作すればよい。これにより、図９に示されるように、天井ロック装置８が車体天井Ｃ下のストライカＳ３に押し付けられて係合ロックするため、シート本体１が車体天井Ｃ下の格納位置に係合ロックされた状態となって保持される。
【００４８】
そしてその後に、操作レバー５を引き込む前の操作位置に押し戻してその回転止め状態を解除し、附勢によって操作前の位置に起こし上げることにより、操作レバー５が操作前の位置に戻されて保持される。次に、シート本体１を格納位置からフロアＦ上の使用位置に戻す場合には、前述した格納操作時と同じく、操作レバー５をシートバック２の後方側に倒し込む操作を行えばよい。そして、操作レバー５を車両後方側から下方側に引き込むように操作することにより、操作レバー５が再び回転止めされた状態となると共に、同方向への操作力によってシート本体１をフロアＦ上に落とし込んでいくことができる。
【００４９】
そしてこれにより、図１０に示されるように、フロアロック装置７がフロアＦ上のストライカＳ２に押し付けられて係合ロックするため、シート本体１がフロアＦ上の使用位置に戻されて保持される。そしてその後に、操作レバー５を引き込む前の操作位置に押し戻してその回転止め状態を解除し、附勢によって操作前の位置に起こし上げることにより、操作レバー５が操作前の位置に戻されて保持される。そして次に、シートクッション３をフロアＦ上に倒し込むことにより、クッションロック装置９がフロアＦ上のストライカＳ１に押し付けられて係合ロックするため、シート本体１を元の着座使用可能な姿勢状態に戻すことができる。
【００５０】
このように、本実施例の車両用シートの作動操作構造によれば、シート本体１は、操作レバー５を操作位置から戻す方向に操作力をかけることによって作動操作される。このとき、操作レバー５にかけられる戻し方向の操作力は、操作レバー５が戻し阻止機構によって戻し操作が阻止された状態で行われる。この戻し阻止機構は、操作レバー５をその回転中心から引き離す方向（操作位置から戻す方向とは異なる特定の方向）に操作することによって操作レバー５の戻し操作を阻止する。
【００５１】
したがって、操作レバー５をばたつかせることなく操作レバー５に戻し方向の操作力をかけることができるため、シート本体１の作動操作性を向上させることができる。また、操作レバー５の操作によってその戻し操作を阻止した状態とすることができるため、別途の戻し阻止操作用の操作部材が設定される構成と比べると、シート本体１の作動操作性を向上させることができる。
【００５２】
また、シート本体１が車体天井Ｃ下の格納位置に保持された状態で、操作レバー５を車両後方側から下方側に引き込むように操作することにより、操作レバー５が回転操作されてシート本体１の格納位置での保持状態が解除される。これにより、操作レバー５は、車体天井Ｃ下にあるシートバック２の背面部から下方側に引き出された状態となり、操作者Ｐが車両後方側の位置から操作を行い易い位置に配置された状態となる。
【００５３】
そして、この操作位置に引き出された操作レバー５を車両後方側から引き込む方向に操作することにより、戻し阻止機構によって操作レバー５の戻し方向の操作が阻止された状態となる。このように、シート本体１を車体天井Ｃ下の格納位置からフロアＦ上の使用位置に戻し込む操作時に、操作レバー５をシート本体１を戻し込む方向に引くことでその戻し操作を阻止した状態にすることができ、シート本体１の作動操作性を更に向上させることができる。
【００５４】
以上、本発明の実施形態を１つの実施例について説明したが、本発明は上記実施例のほか各種の形態で実施できるものである。例えば、本発明の車両用シートの作動操作構造は、シート本体をフロア上で車両前後方向にスライドさせたり、シートバックの背凭れ角度を調整したりする作動操作を目的として構成されていてもよい。また、操作部材の操作は回転操作タイプのものでなくても良く、例えば直動操作タイプのものであってもよい。
【００５５】
また、戻し阻止機構は、操作レバーを倒し込んだ位置で回転中心に向けて押し込む操作をすることによって操作レバーの戻し操作を阻止する構成となっていてもよい。また、操作レバーを倒し込んだ位置で回転中心の中心軸線方向に移動させることによって操作レバーの戻し操作を阻止する構成となっていてもよい。
【図面の簡単な説明】
【００５６】
【図１】実施例１の車両用シートの作動操作構造の概略を表した側面図である。
【図２】戻し阻止機構の構成を拡大して表した分解斜視図である。
【図３】操作レバーを後倒し操作した状態を表した側面図である。
【図４】操作レバーを引き込み操作した状態を表した側面図である。
【図５】切換機構の操作前状態を表した構成図である。
【図６】操作レバーの操作によって切換機構が作動操作された状態を表した構成図である。
【図７】フロアロック装置及び天井ロック装置のロック構造を表した構成図である。
【図８】フロアロック装置及び天井ロック装置のロック状態を表した構成図である。
【図９】シート本体を車体天井下に格納移動させた状態を表した構成図である。
【図１０】シート本体をフロア上に戻し込んだ状態を表した構成図である。
【符号の説明】
【００５７】
１      シート本体（操作部材の取り付けられている構造体）
２      シートバック
２ｆ    バックフレーム
２ｂ    ブラケット
２ｐ    連結軸
３      シートクッション
４      ヘッドレスト
５      操作レバー（操作部材）
５ｃ    操作ケーブル
５ａ    把持部
５ｈ    孔
５ｊ    キー溝
６      連結アーム
６ｄ    ダンパー
７      フロアロック装置
７ｃ    解除ケーブル
８      天井ロック装置
８ｃ    解除ケーブル
９      クッションロック装置
９ｃ    解除ケーブル
１０    ロック構造
１１    ベース板
１１ａ  受入口
１１ｂ  ストッパ
１２    ラッチ
１２ａ  上顎
１２ｂ  下顎
１２ｃ  掛部
１２ｄ  角部
１２ｅ  支軸
１３    ポール
１３ａ  操作腕
１３ｂ  爪部
１３ｃ  掛部
１３ｅ  支軸
１４    引張ばね
１５    解除ケーブル
１６    ストライカ
２０    切換機構
２１    ベース板
２１ａ  ストッパ
２２    第１アーム
２２ａ  支軸
２３    第２アーム
２３ａ  支軸
２３ｂ  係合ピン
Ｆ      フロア
Ｃ      車体天井
Ｓ１    ストライカ
Ｓ２    ストライカ
Ｓ３    ストライカ
Ｐ      操作者
【図１】
2010006170.tif 000003
【図２】
2010006170.tif 000004
【図３】
2010006170.tif 000005
【図４】
2010006170.tif 000006
【図５】
2010006170.tif 000007
【図６】
2010006170.tif 000008
【図７】
2010006170.tif 000009
【図８】
2010006170.tif 000010
【図９】
2010006170.tif 000011
【図１０】
2010006170.tif 000012